(57)【要約】【課題】非接触券が不用意に処理されるのを防止する。【解決手段】自動改札機の本体の投入口に投入された乗車券又はその自動改札機の本体に設けられたアンテナにタッチあるいはかざされた非接触券に記録されているデータに基づいて入出場処理する自動改札機において、前記非接触券に記録されているデータを読取る読取手段と、読取られたデータ中に磁気券を所持していることを示す所定のデータが含まれているときに、前記非接触券が前記アンテナにさらに接近又はタッチされてその非接触券から所定のデータが読取られるまでその非接触券に基づく入出場処理を禁止する禁止手段とを有する。【選択図】　　　図３
2004021283.tif 000002
【特許請求の範囲】
【請求項１】
非接触券の本体の記憶部に磁気券を所持していることを示す所定のデータを記憶する磁気券所持データ記憶部を設けたことを特徴とする非接触券。
【請求項２】
自動改札機の本体の投入口に投入された乗車券又はその自動改札機の本体に設けられたアンテナにタッチあるいはかざされた非接触券に記録されているデータに基づいて入出場処理する自動改札機において、
前記非接触券に記録されているデータを読取る読取手段と、
読取られたデータ中に磁気券を所持していることを示す所定のデータが含まれているときに、前記非接触券が前記アンテナにさらに接近又はタッチされてその非接触券から所定のデータが読取られるまでその非接触券に基づく入出場処理を禁止する禁止手段と、
を有することを特徴とする自動改札機。
【請求項３】
自動改札機の本体の投入口に投入された乗車券又はその自動改札機の本体に設けられたアンテナにタッチあるいはかざされた非接触券に記録されているデータに基づいて入出場処理する自動改札機において、
前記非接触券の利用者が前記アンテナに接近したことを検知する非接触券利用者接近検出器と、
前記非接触券利用者接近検出器で利用者が検出され、かつ、その非接触券と前記アンテナとの交信が行われるまで、前記自動改札機の本体におけるその非接触券に対する入出場処理を禁止する禁止手段と、
を有することを特徴とする自動改札機。
【請求項４】
請求項３に記載の自動改札機において、非接触券利用者接近検知器は、利用者がアンテナに差し出した物体を検知するものであることを特徴とする自動改札機。
【発明の詳細な説明】
【０００１】
【発明の属する技術分野】
本発明は自動改札機に係り、特に、磁気券からなる乗車券及び非接触券の両方を処理することのできる自動改札機において、非接触券が不用意に処理されるのを防止できるようにしたものに関する。
【０００２】
【従来の技術】
従来、乗車券と非接触券との両方を処理できる自動改札機は、自動改札機の本体の投入口に投入された磁気券からなる乗車券（本発明で乗車券というときは、普通乗車券、定期券、回数券等の各種乗車券類及び自動改札機の本体に直接投入して入出場（入場又は出場を意味している。）できるストアードフェアカード（ＳＦカード）を含んでいる。）に記録されているデータ、又はその自動改札機の本体に設けられているアンテナにタッチされ、あるいはそのアンテナにかざされた無線通信機能を備えたＩＣカードからなる非接触券に記録されているデータに基づいて入出場処理を行うように構成されている。
【０００３】
【発明が解決しようとする課題】
しかしながら、上記従来の乗車券及び非接触券の両方を処理できる自動改札機において、利用者（旅客）が非接触券及び磁気券からなる乗車券を所持していて、その乗車券を用いて入出場しようとしてその乗車券を投入口に投入する際、所持している非接触券がアンテナに接近してそのアンテナの交信範囲に入ってしまうと、非接触券から初乗運賃等の所定の金額が減額されてしまうというおそれがあった。
【０００４】
そこで、本発明は、上記欠点を解決するためになされたものであって、その目的は、磁気券及び非接触券を所持しているときに、非接触券が不用意に処理されないようにした非接触券及びその非接触券を処理する自動改札機を提供することにある。
【０００５】
【課題を解決するための手段】
本発明に係る非接触券は、上記目的を達成するために、請求項１に記載の発明は、非接触券の本体の記憶部に磁気券を所持していることを示す所定のデータを記憶する磁気券所持データ記憶部を設けたことを特徴としている。
【０００６】
本発明に係る自動改札機は、上記目的を達成するために、請求項２に記載の発明は、自動改札機の本体の投入口に投入された乗車券又はその自動改札機の本体に設けられたアンテナにタッチあるいはかざされた非接触券に記録されているデータに基づいて入出場処理する自動改札機において、前記非接触券に記録されているデータを読取る読取手段と、読取られたデータ中に磁気券を所持していることを示す所定のデータが含まれているときに、前記非接触券が前記アンテナにさらに接近又はタッチされてその非接触券から所定のデータが読取られるまでその非接触券に基づく入出場処理を禁止する禁止手段と、を有することを特徴としている。
【０００７】
本発明に係る自動改札機は、上記目的を達成するために請求項３に記載の発明は、自動改札機の本体の投入口に投入された乗車券又はその自動改札機の本体に設けられたアンテナにタッチあるいはかざされた非接触券に記録されているデータに基づいて入出場処理する自動改札機において、前記非接触券の利用者が前記アンテナに接近したことを検知する非接触券利用者接近検出器と、前記非接触券利用者接近検出器で利用者が検出され、かつ、その非接触券と前記アンテナとの交信が行われるまで、前記自動改札機の本体におけるその非接触券に対する入出場処理を禁止する禁止手段と、を有することを特徴としている。
本発明の請求項４に記載の自動改札機は、非接触券利用者接近検知器は、利用者がアンテナに差し出した物体を検知するものであることを特徴としている。
【０００８】
【発明の実施の形態】
以下、本発明の実施の形態を図面に基づいて説明する。図１は、一実施の形態に係る自動改札機の斜視図であって、その自動改札機の本体（以下、「改札機本体」という。）Ｇを構成する一対の筐体のうちの一方の筐体Ｇ１　の斜視図である。なお、図示しない他方の筐体は、改札通路Ｐを挾んでこの一方の筐体Ｇ１　と向き合う形で設けられている。
【０００９】
図１中、１は、筐体Ｇ１　の改札通路Ｐの通過方向の進入（入口）側に設けられた乗車券の投入口、２は、その筐体Ｇ１　の上面で改札通路Ｐの進出（出口）側に設けられた取出口であり、３は、その取出口２の近傍で改札通路Ｐの進出側に設けられた利用者に対して文字により所定の内容を案内するための表示画面である。また、図１中、４は、利用者に対して音声により所定の内容を案内するためのスピーカである。
【００１０】
上記投入口１及び取出口２間の筐体Ｇ１　内には、図示しないカードハンドラが設けられている。このカードハンドラは、投入口１から投入された乗車券を取出口２又は図示しない筐体Ｇ１　内に設けられた集札箱まで搬送させることができるように構成されている。そして、その搬送の途中において、投入口１に投入された磁気券からなる乗車券に記録されているデータを読取り、新たなデータを書込み、必要に応じてパンチや印字を行い、利用者へ返却する必要のある乗車券を取出口２に排出し、筐体Ｇ１　内に回収する必要のある乗車券を集札箱へ集札できるように構成されている。上記投入口１には、図示しないがシャッタ機構が設けられていて、シャッタ機構で投入口１が閉じられているときは、当然に乗車券の投入口１への投入は阻止される。なお、乗車券の投入阻止としては、カードハンドラの駆動を停止することによって行うこともできる。
【００１１】
図１中、ａはアンテナであって、筐体Ｇ１　の投入口１側の上面に設けられていて、図示しない非接触券と交信できるように構成されている。また、図１中、１０は非接触券接近検出器であって、アンテナａの周囲に設けられている。
【００１２】
図１中、Ｂはセンサ取付ボックスであって、筐体Ｇ１　の上面で、かつ、改札通路Ｐと反対側に設けられ、その改札通路Ｐに沿って設けられている。このセンサ取付ボックスＢ内には、反射型センサからなる人間検知器Ｓ，Ｓ…が内蔵されていて、改札通路Ｐ内の大人の利用者を検知することができるように構成されている。すなわち、この反射型センサからなる人間検知器Ｓ，Ｓ…は、改札通路Ｐの床面から所定の高さに向けて光線を照射する発光素子と、その照射された光線が物体（利用者）に当たって反射してきた光線（反射光）を受光する受光素子とにより構成されている。
【００１３】
図１中、Ｓ′，Ｓ′…は、光電素子からなる透過型センサからなる人間検知器であって、一対の筐体間の改札通路Ｐ側に所定の間隔を保って設けられていて、改札通路Ｐ内の利用者位置を検知することができるように構成されている。すなわち、これら透過型センサからなる人間検知器Ｓ′，Ｓ′…は、一方の筐体の側面に発光素子を有するとともに、他方の筐体の側面に受光素子を有して構成されている。そして、これら透過型センサからなる人間検知器Ｓ′，Ｓ′…で検知され、かつ、上述の反射型センサからなる人間検知器Ｓ，Ｓ…で検知されないときは、その利用者は子供（小児）の利用者と判定される。
【００１４】
図１中、Ｄ１　，Ｄ１１は、改札通路Ｐを開閉するドアであり、改札機本体Ｇを統括的に制御する後述する制御器Ｃにより駆動されるように構成されている。なお、図示しない他方の筐体にも、筐体Ｇ１　のドアＤ１　，Ｄ１１に対応した位置にドアが設けられている。
【００１５】
制御器Ｃは、図２に示されるように、メモリＭに格納されているシステムプログラム及びワーキングデータを用いて所定の入出場の演算処理を行う中央処理部（ＣＰＵ）１１を有している。なお、この図２には、非接触券イの電気的構成を示すブロック図も示されている。制御器ＣのＣＰＵ１１は、図示しないＩ／Ｏユニットを介してカードハンドラ１２と、ドアＤ１　，Ｄ１１を駆動制御するドアドライバ１３と、人間検知装置（Ｓ，Ｓ…、Ｓ′，Ｓ′…）からの信号を処理する人間検知器ユニット１４と、アンテナａを介して非接触券を処理する、すなわち、非接触券イに記録されているデータを読取るととも、新たなデータを書込むためのリーダライタ１５と、非接触券接近検出器１０の処理回路を含んで構成される非接触券接近検出器ユニット１６とが接続されている。この非接触券接近検出器ユニット１６は、非接触券接近検出器１０がアンテナａよりも少し大きな出力で非接触券イと交信できるように構成されている。すなわち、この非接触券接近検出器ユニット１６は、非接触券イがリーダライタ１５と交信する前に交信できるように構成されている。なお、ＣＰＵ１１には、表示画面３を駆動制御する表示ドライバ等の機器も接続されているが、ここでは省略されている。
【００１６】
非接触券の本体（以下、非接触券の本体を含めて「非接触券」で説明する。）イは、無線通信機能を有するＩＣカードと同様に構成されている。すなわち、この非接触券イには、アンテナＡと、改札機本体Ｇ側と交信するための通信制御部２０と、その通信制御部２０と図示しないＩ／Ｏユニットを介して接続されているＣＰＵ２１と、システムプログラムやカードデータの記録されているメモリ２２と、改札機本体Ｇ（非接触券接近検出器１０、アンテナａ）からの電力波をアンテナＡを介して受信し、非接触券イの駆動電力を生成する電力生成回路２３とを有している。上記メモリ２２のカードデータを記憶する定期券データ記憶部Ｍ１　には、定期券の乗車区間や有効期間等の定期券の内容が記憶され、また、そのメモリ２２のＳＦデータ記憶部Ｍ２　には、定期券の乗車区間外や有効期間外で乗車したときの乗車料金（運賃）を減額処理したり、あるいは、駅の売店等で所定の商品の買物を行ったときに減額処理される金額データが記憶され、さらに、そのメモリ２２の磁気券所持データ記憶部Ｍ２　には、利用者がこの非接触券イ以外に所定の磁気券を所持している旨の所定のデータが記憶されている。
【００１７】
以下、図３のフローチャートを用いて制御動作について説明する。今、非接触券イ及び磁気券からなる乗車券（図示せず）を所持している利用者が改札機本体Ｇを用いて入出場しようとしているものとする。先ず、その利用者が非接触券イを用いて入出場する場合、非接触券イは、アンテナａ側に接近される。この接近は、最初、通信範囲の広い非接触券接近検出器１０を介して検出される（ステップ１００肯定。以下、ステップを「Ｓ」とする。）。このとき、改札機本体Ｇでは、非接触券イのメモリ２２に記憶されているデータ内容から、その利用者は磁気券も所持していることが検出（認識）される。しかし、この段階では、その利用者が非接触券イを用いて入出場しようとしているのか、又は磁気券を用いて入出場しようとしているのか不明なので、非接触券イの処理は禁止状態におかれる（Ｓ１０２否定、Ｓ１０３）。
【００１８】
上述の禁止状態において、非接触券イがアンテナａにさらに接近し、そのアンテナａにタッチされるなどしてそのアンテナａの交信範囲に入ると（Ｓ１０２肯定）、その利用者は、非接触券イを用いて入出場しようとしているものと判定され、その非接触券イを用いた入出場処理が開始される。この場合、非接触券イの利用者と、後続の利用者の乗車券との対応を正確にとるために、投入口１の図示しないシャッタが閉じられて乗車券の投入が禁止される（Ｓ１０４、Ｓ１０６）。
【００１９】
上記非接触券イを用いて入出場処理は、周知の非接触券を用いた入出場処理と同様に行われる。すなわち、非接触券イと改札機本体Ｇとの間でデータ授受により、ＣＰＵ１１は、非接触券イから得た所定のカードデータを基に入出場の演算処理を行い、その演算処理の結果、入出場を許可できるときは、ドアＤ１　を開にし（改札機本体Ｇがノーマルオープン型のときはそのまま）、利用者の改札通路Ｐの通過を許可し、その演算処理の結果、入出場を許可できないときは、利用者のドアＤ１　を閉にして改札通路Ｐの通過を阻止するとともに、表示画面３及びスピーカ４を介して精算案内等の所定の案内が行われる。
【００２０】
次に、非接触券イ及び磁気券からなる乗車券を所持している利用者が乗車券を用いて入出場する場合について説明する。利用者が乗車券を投入口１に投入する際、非接触券イをアンテナａに全く近付けない場合は、乗車券が投入口１に投入された時点で非接触券処理が中止されて磁気券を用いた入出場処理が行われる（Ｓ１００否定、Ｓ１０８肯定、Ｓ１１０、Ｓ１１２）。すなわち、改札機本体Ｇに投入された乗車券に記録されているデータを基にした演算処理が入出場を許可できるときは、ドアＤ１　が開かれ、その演算処理の結果、入出場を許可できないときは、ドアＤ１　が閉じられる。
【００２１】
ところで、利用者が乗車券を投入口１に投入する際、その乗車券を投入口１の近くで非接触券イも収納されている乗車券入れから出して投入するときなどは、非接触券イがアンテナａに近付くことになる。この接近が非接触券接近検出器１０で検出されるまで近付いたときは、上述したように、非接触券イの処理は禁止されるので（Ｓ１００肯定、Ｓ１０２否定、Ｓ１０３）、非接触券イから、例えば初乗運賃等が利用者の意に反して減額処理されるという不都合を未然に防止することができる。
【００２２】
上述の例は、非接触券接近検出器１０とアンテナａとを用いて非接触券利用者を特定したが、図１の１０′に示される非接触券利用者検出器を用いて非接触券利用者を特定するようにしてもよい。この非接触券利用者検出器１０′は、アンテナａに対向するセンサ取付ボックスＢ内に設けられたセンサからなり、このセンサは、周知の光又は超音波を利用した反射型センサから構成されている。
【００２３】
上記非接触券利用者検出器１０′を設けたときは、その非接触券利用者検出器１０′で利用者が検出され、かつ、アンテナａで非接触券イと交信が行われたときに非接触券イを用いた入出場処理が開始される。したがって、この非接触券利用者検知器１０′で利用者の差し出した手等の物体が検出されるということは、その利用者が非接触券イの利用者であると特定することができる。この場合も、投入口１のシャッタは、非接触券イの入出場処理が終了するまで閉じられる。
【００２４】
なお、非接触券利用者検出器１０′は、センサ取付ボックスＢでなく、アンテナａの中央部分やそのアンテナａの位置する筐体Ｇ１　の側面等の非接触券利用者を確実に検出できる位置に設けることができる。
【００２５】
【発明の効果】
本発明の請求項１に記載の非接触券は、非接触券の本体の記憶部に磁気券を所持していることを示す所定のデータを記憶する磁気券所持データ記憶部を設けたので、磁気券を所持していることを改札機本体に知らせることができる。
【００２６】
本発明の請求項２に記載の自動改札機は、非接触券に記録されているデータを読取る読取手段と、読取られたデータ中に磁気券を所持していることを示す所定のデータが含まれているときに、前記非接触券がアンテナにさらに接近又はタッチされてその非接触券から所定のデータが読取られるまでその非接触券に基づく入出場処理を禁止する禁止手段とを有するので、非接触券が不用意に処理されるのを防止することができる。
【００２７】
本発明の請求項３に記載の自動改札機は、非接触券の利用者が前記アンテナに接近したことを検知する非接触券利用者接近検出器と、その非接触券利用者接近検出器で利用者が検出され、かつ、その非接触券と前記アンテナとの交信が行われるまで、改札機本体におけるその非接触券に対する入出場処理を禁止する禁止手段とを有するので、非接触券が不用意に処理されるのを防止することができる。
本発明の請求項４に記載の自動改札機は、非接触券利用者接近検知器は、利用者がアンテナに差し出した物体を検知するものであるので、利用者が非接触券の利用者であることをより確実に検出することができる。
【図面の簡単な説明】
【図１】本発明の一実施の形態に係る改札機本体を構成する一対の筐体のうちの一方の筐体の斜視図である。
【図２】制御器及び非接触券のブロック図である。
【図３】制御動作を示すフローチャートである。
【符号の説明】
Ｇ　自動改札機の本体（改札機本体）
Ｇ１　筐体
Ｄ１　，Ｄ１１　ドア
Ｐ　改札通路
Ｂ　センサ取付ボックス
Ｓ，Ｓ…、Ｓ′，Ｓ′…　人間検知器
１　投入口
２　取出口
１０　非接触券接近検出器
１０′　非接触券利用者検出器
ａ　アンテナ
イ　非接触券（非接触券の本体）
【図１】
2004021283.tif 000003
【図２】
2004021283.tif 000004
【図３】
2004021283.tif 000005